(57)【要約】      （修正有）【課題】不織布層を含むフィルムの積層プロセス促進に必要とされるブロッキング防止を助ける機構を備えたエラストマーフィルムからなる伸縮部材を含む使い捨て吸収性物品の提供。【解決手段】前側腰部領域、後側腰部領域、及び前記前側領域と前記後側領域との間の股領域を有するシャーシを含む使い捨て吸収性物品であって、ａ．少なくとも前記股領域にまたがる液体透過性トップシート；ｂ．少なくとも前記股領域にまたがるバックシート；ｃ．前記トップシートとバックシートとの間に配置される吸収性コア；ｄ．前記シャーシの前記前側腰部又は前記後側腰部領域のどちらかにおいて、対向する長手方向縁部の少なくとも１つに沿って配置される伸縮部材であって、孔なし且つむき出しのエラストマー層；を含み、エラストマー層は少なくとも約０．７７のエネルギー回収値を示す伸縮部材を含む。【選択図】図１
2010279725.tif 000002
【特許請求の範囲】
【請求項１】
前側腰部領域、後側腰部領域、及び前記前側腰部領域と前記後側腰部領域との間の股領域を有するシャーシを含む使い捨て吸収性物品であって、前記シャーシは２つの対向する長手方向縁部及び２つの垂直に配置された端縁部を有し、前記シャーシはさらに、
ａ．少なくとも前記股領域にまたがる液体透過性トップシート；
ｂ．少なくとも前記股領域にまたがるバックシート；
ｃ．前記トップシートとバックシートとの間に配置される吸収性コア；及び
ｄ．前記シャーシの前記前側腰部又は前記後側腰部領域のどちらかにおいて、前記対向する長手方向縁部の少なくとも１つに沿って配置される伸縮部材であって、孔なし且つむき出しのエラストマー層を含み、前記層は少なくとも約０．７７のエネルギー回収値を示す伸縮部材、
を含む使い捨て吸収性物品。
【請求項２】
前記伸縮部材は、伸縮サイドパネル、レッグカフ、腰紐、外側カバー、ランディング領域、及びこれらの組み合わせから成る群から選択される使い捨て物品構成部分に含まれる、請求項１に記載の物品。
【請求項３】
前記伸縮部材は、１つ以上の付加的な不織布ウェブ上又はその間に等間隔に空けられて平行配置された実質的に同じ幅の複数のストリップの形態をとる、請求項１に記載の物品。
【請求項４】
前記伸縮部材は、少なくとも２つの幅の複数のストリップの形態をとる、請求項１に記載の物品。
【請求項５】
前記伸縮部材は、伸縮サイドパネル内で単一のピースである、請求項１に記載の物品。
【請求項６】
前記伸縮部材は、１つ以上の付加的な不織布ウェブとの積層前に粉末添加剤で処理される、請求項１に記載の物品。
【請求項７】
前側腰部領域、後側腰部領域、及び前記前側腰部領域と前記後側腰部領域との間の股領域を有するシャーシを含む使い捨て吸収性物品であって、前記シャーシは２つの対向する長手方向縁部及び２つの垂直に配置された端縁部を有し、前記シャーシはさらに、
ａ．少なくとも前記股領域にまたがる液体透過性トップシート；
ｂ．少なくとも前記股領域にまたがるバックシート；
ｃ．前記トップシートとバックシートとの間に配置される吸収性コア；
ｄ．前記シャーシの前記前側腰部又は前記後側腰部領域のどちらかにおいて前記対向する長手方向縁部の少なくとも１つに沿って配置される伸縮サイドパネルの伸縮部材であって、孔なし且つむき出しのエラストマー層を含み、前記層は少なくとも約０．７７のエネルギー回収値を示す伸縮部材；及び
ｅ．前記サイドパネルの最外縁部に取り付けられた締結具、
を含む使い捨て吸収性物品。
【請求項８】
前記締結具は、テープ状ひも、フックとループの締結要素、タブ及びスロットのような係合締結具、バックル、ボタン、スナップ、及び／又は雌雄同体締結要素、及びこれらの組み合わせから成る群から選択される、請求項７に記載の物品。
【請求項９】
前記伸縮サイドパネルは、１つ以上の付加的な不織布ウェブ上又はその間に等間隔に空けられて平行配置された実質的に同じ幅の複数のストリップの形態をとる、請求項７に記載の物品。
【請求項１０】
前記伸縮サイドパネルは、少なくとも２つの異なる幅の少なくとも２つのストリップを含む、請求項７に記載の物品。
【発明の詳細な説明】
【技術分野】
【０００１】
本発明は、シャーシ、及び前記シャーシの前側腰部領域又は後側腰部領域のどちらかにおいて、対向する長手方向縁部の少なくとも１つに沿って配置される伸縮部材であって、孔なし且つむき出しのエラストマー層を含み、前記層は少なくとも約０．７７のエネルギー回収値を示す伸縮部材、を含む使い捨て吸収性物品に関する。
【背景技術】
【０００２】
使い捨て吸収性物品は、尿、経血、及び糞便を含む体からの排出物の収容を助けるのに有用であることが周知である。これらの物品は、おむつ、プルオントレーニングパンツ、失禁用衣類、及び生理用ナプキンを含む様々な形態をとる。これらの各々の物品における１つの重要な特徴は、ぴったり合った適合である。これらの物品を着用中に適切な位置に保持する固定具（anchor）として機能する体の部分に適合させることは必須である。このような物品に伸縮部分を提供することで、着用者の身体に物品が良好に嵌合することは広く知られている。
【０００３】
従来の使い捨て吸収性物品は、ストランド伸縮素材及びエラストマーフィルムを含み、物品の様々な領域において嵌合機能を提供してきた。これらの領域は、脚部開口部、腰部開口部、外側カバー、及びサイドパネル（これらは典型的に伸縮性である）を含む。特に、エラストマーフィルムを伸縮部材として典型的に採用する場合、フィルムは、対向する側面又は表面上の実質的に非伸縮性の表面薄層により守られるエラストマーコア層を含む。これらの非伸縮性表面薄層は、延伸される際、フィルム全体の摩擦及びブロッキングの削減を可能とする。このブロッキングの削減は、フィルムの加工能力を向上させ、並びに、着用者の皮膚がフィルムを含む物品の領域に接した際に望ましい向上した柔軟性をフィルムの手触りに提供するのを助ける。しかしながら、この試みは表面薄層を形成するのに付加的なポリマーを必要とし、それによって製造においてさらなるコストを生じさせる。
【発明の開示】
【発明が解決しようとする課題】
【０００４】
伸縮積層体の製造を可能とするその他の試みには、単層エラストマーフィルムを備える剥離ライナーの使用が含まれる。上述の例、並びに剥離ライナーの場合において、このエラストマーフィルムの可能な原材料は、エラストマー類、ＳＢＳブロックコポリマー類、ＳＩＳブロックコポリマー類、ポリウレタン類、エチレンコポリマー類及び同様の材料である。１つ以上の非伸縮性表面薄層が存在しない場合、予想通り、エラストマーフィルムは、加工中に比較的粘着性があり、操作が困難である。ストック材料ロールに加工されるのを促進するために、剥離ライナーはエラストマー層の少なくとも１面を被覆するように加えられるべきである。剥離ライナーは、限定はしないがシリコーン紙を含む多くの材料から作製されることが可能である。フィルム材をさらに加工する際に、大抵の場合、剥離ライナーはエラストマーフィルムから分離され、除去され、及び廃棄又は再使用のために巻き上げられる。その時になって、エラストマーフィルムは、フィルムを含む製品の最終着用者の皮膚に対してさらに心地よい不織布ウェブに重ねられてよい。しかしながら、そのような場合には、剥離ライナーと組み合わされたエラストマー単分子層又は単層フィルムの操作は、１つ以上の不織布とのその後の積層における層の操作を促進する他の機構を次に必要とする。
【課題を解決するための手段】
【０００５】
したがって、出願人は、特定の使い捨て吸収性物品が、不織布層を含むかかるフィルムの積層プロセスを促進するのに必要とされるブロッキング防止を助ける機構を備えて製造されるエラストマーフィルムを含む伸縮部材を含む使い捨て吸収性物品の製造に関して、この対処されていない必要性を満たすのに有用であることを見出した。そのような物品は、前側腰部領域、後側腰部領域、及び前記前側腰部領域と前記後側腰部領域との間の股領域を有するシャーシを含み、前記シャーシは２つの対向する長手方向縁部及び２つの垂直に配置された端縁部を有し、前記シャーシはさらに、
ａ．少なくとも前記股領域にまたがる液体透過性トップシート；
ｂ．少なくとも前記股領域にまたがるバックシート；
ｃ．前記トップシートとバックシートとの間に配置される吸収性コア；及び
ｄ．前記シャーシの前記前側腰部又は前記後側腰部領域のどちらかにおいて、前記対向する長手方向縁部の少なくとも１つに沿って配置される伸縮部材であって、孔なし且つむき出しのエラストマー層を含み、前記層は少なくとも約０．７７のエネルギー回収値を示す伸縮部材、を含む。
【発明を実施するための最良の形態】
【０００６】
本発明について、ここで詳細に記載されるのは、請求された主題の解釈を助けることを意図する様々な定義である。
【０００７】
本明細書で使用する時、用語「吸収性物品」とは、体の排出物を吸収し収容する装置を指し、さらに具体的には、着用者の身体に押し付けて又は近接して配置されて、体から排泄される種々の排出物を吸収し収容する装置を指す。こうした装置には、これらに限定されないが、おむつ、トレーニングパンツ、成人失禁用製品、生理用ナプキン、及びパンティライナーが挙げられる。
【０００８】
本明細書で使用する時、用語「おむつ」は、一般に乳幼児及び失禁者により胴体下部の周囲で着用される吸収性物品を指す。本発明はまた、失禁用ブリーフ、失禁用下着、吸収性挿入物、おむつホルダー及びライナー、女性用生理衣類、ワイプ、モップ、包帯など、他の吸収性物品にも適用可能である。
【０００９】
本明細書で使用する時、用語「使い捨て」とは、一般に、洗濯され、又は吸収性物品として修復若しくは再使用されることを意図されていない（即ち、それらは、１回の使用後に廃棄されるか、好ましくは、リサイクルされるか、堆肥化されるか、ないしは別の方法で環境に適応した方式で処分されることを意図される）吸収性物品を指す。
【００１０】
「一体型」吸収性物品は、合体された別個の部品から形成されて、調和した統一体を形成し、その結果、別個のホルダー及び／又はライナーのような別個の操作部分を必要としない吸収性物品を指す。本発明の吸収性物品の好ましい実施形態は、図４に示す一体型の使い捨て吸収性物品であるおむつ２２０である。
【００１１】
伸縮部材
本発明の使い捨て吸収性物品は、前側腰部領域、後側腰部領域、及び前記前側腰部領域と前記後側腰部領域との間の股領域を有するシャーシを含み、前記シャーシは２つの対向する長手方向縁部及び２つの垂直に配置された端縁部を有し、前記シャーシはさらに、ａ．少なくとも腰部股領域にまたがる液体透過性トップシート；ｂ．少なくとも腰部股領域にまたがるバックシート；ｃ．前記トップシートとバックシートとの間に配置される吸収性コア；及びｄ．前記シャーシの前記前側腰部又は前記後側腰部領域のどちらかにおいて、対向する長手方向縁部の少なくとも１つに沿って配置される伸縮部材であって、孔なし且つむき出しのエラストマー層を含み、前記層は少なくとも約０．７７のエネルギー回収値を示す伸縮部材、を含む。
【００１２】
伸縮部材は、孔なしであるむき出しのエラストマー層を含む。本明細書で使用する時、「むき出し」とは、対象の層がその表面の片側又は両側で任意の付加的な高分子フィルム層と共押出しされていないか又は結合されていない、単分子層、単層又は単プライ層であることを意味する。本明細書で使用する時、「孔なし」とは、エラストマー層の１つ以上の表面に開口部又は穴が存在しないことを指す。本明細書で使用する時、「接着接合された」又は「接着積層された」とは、不織布（１つ又は複数）に伸縮部材を接合するのに接着剤を使用する積層体を指す。この伸縮部材は、少なくとも１つの実質的に非伸縮性である部材が伸縮部材とシャーシとの間に配置される際に、実質的に非伸縮性である部材間に位置してよい。これらの１つ以上の実質的に非伸縮性である部材は、シャーシに対する伸縮部材の留め部として機能することができる。要するに、実質的に非伸縮性である部材は、固定要素又は閉鎖要素（例えばフック、テープ等）をシャーシの一部分に固定し、同時に対応するシャーシ部分に固定要素の補足的グリップ要素を取り付けるのに使用される。本発明の伸縮部材は、孔なし且つむき出しのエラストマー層のフルサイズのシートを１つ以上の不織支持ウェブシート上に置き、かかる層間に接着積層体を採用することで製造されることができる。この複合積層体は、次に、漸増式に延伸されるか、又はリングロールされ（米国特許第５４２２１７２号及び同５３８２４６１号に開示）、より小さな区分に切断され、次に、本発明によって伸縮部材として利用される。より少ないフィルムが利用されるためにさらに大きな経済的な節約をもたらす、伸縮部材を製造する他の方法は、シート全体の代わりに、１つ以上の孔なし且つむき出しのエラストマー層ストリップを採用することを伴う。この場合、ストリップは好適に位置付けられ、不織布ウェブに接着積層される。この場合もやはり、この複合積層体は、上述と同様の方法で延伸され得る。
【００１３】
しかしながら、エラストマー層が１つ以上の不織支持ウェブ層に積層される前に、エラストマー層は、上述の積層プロセスで続けて使用するためパッケージで保存される（つまり、ロールに巻かれるか又は容器内に加工される）。このプロセスを促進するために、出願人は、１つ以上のブロッキング防止処置をエラストマー層に施すことが、エラストマー層及び広くは積層プロセスの操作を促進することを見出した。ブロッキング防止処置には、エラストマーフィルムの表面への粉末の塗布、エンボス加工によるフィルムの表面トポグラフィーの粗化、フィルムのバルクへの充填剤粒子の添加によるフィルムの表面トポグラフィーの粗化、粘着性を減少させる化学種（「スリップ剤」又は「剥離剤」）の添加、例えば、非感圧性接着剤、ワックス、硬質ポリマー（例えば、ガラス状ポリマー、高結晶質ポリマー又は高密度に架橋されたポリマーであって、それぞれ例えばポリスチレン、アイソタクチックポリプロピレン又はフェノールホルムアルデヒドポリマー）といった非粘着性物質のフィルムの片面又は両面への塗布を含む。これらのブロッキング防止処置は、１つ以上の不織布ウェブに接着積層されるまでのロールの巻き戻し又は加工解除中にエラストマー層が自身に付着するのを防ぐことで積層プロセスを促進する。
【００１４】
エラストマー層の１つ以上の表面に添加するのに好適な粉末は、タルク、雲母、ムライト、炭酸カルシウム、シリカ、粉末ポリエチレン、コーンスターチ、硫酸バリウム、セッコウ、活性炭、ポリオレフィン、アルギン酸塩、ケイ酸アルミニウム、ベントナイト、カーボンブラック、カーボンナノチューブ、白亜、酢酸コバルト、ジカライトパーライト、ドロマイトカルフィックス（dolomite calfix）、小麦粉、グラファイト、ヒドロキシエチルセルロース、カオリン、ポリエチレンワックス、ポリビニルアルコール、米粉、デンプン、変性デンプン、超吸収剤、バーミキュライト、ワックス粉末、ビスマス、セリウム、ジルコニウム、マンガン、マグネシウム、鉄、亜鉛、アルミニウム、カルシウム、シリコン、ストロンチウム、チタニウムの酸化物、及びこれらの混合物から成る群から選択される。粉末添加剤は、米国特許第３，３９６，６９９号、同４，０８４，０１８号、同４，６０６，９２８号、及び同６，０６８，７０２号に開示されるような流動床粉末プロセスの採用を含む、様々な方法によって適用されてよい。
【００１５】
最終的にエラストマー層に積層される１つ以上の不織支持ウェブは、最初は機械方向で実質的に伸縮性がない。エラストマー層は、巻き戻し又は加工解除ステーション、エラストマー層及び不織支持ウェブが機械横方向において所望の寸法に切断される１つ以上の繊細化ステーション、エラストマー層が１つ以上の不織支持ウェブ又は付加的な不織布ウェブに平行に重なり合って（cofacially）取り付けられる１つ以上の積層ステーション、積層が漸増式に延伸する際の１つ以上の活性化ステーション、及び積層が、続くおむつの加工作業に使用するのに好適なロールに巻かれる巻きステーションを含む、いくつかの移送ステーションを通して加工されることができる。
【００１６】
エラストマー層は、接着剤の使用又は他の好適な手段の使用によって、不織支持ウェブに接合されてよい。ホットメルト接着剤は、エラストマー層を不織支持ウェブに積層するのに特に有用な手段を提供する。らせん状、メルトブロウン、縞パターン及び連続層を含むスロットコーティングされた実施のような、様々な接着剤のパターンが、当該技術分野において既知である。エラストマー層の不織布への積層の他の手段（超音波接着及び圧力接着など）も、使用され得る。
【００１７】
伸縮部材の不織布ウェブの秤量は、約５ｇｓｍ、９ｇｓｍ、又は１４ｇｓｍ〜約２７ｇｓｍ、３１ｇｓｍ、４２ｇｓｍ、又は５０ｇｓｍであるべきである。同様に、伸縮部材は、エラストマー層と接着接合する１つ以上の付加的な不織布ウェブ層をさらに含んでよい。１つ以上の付加的な不織布ウェブは、上述の積層前、エラストマー層がロールに巻かれるか又はパッケージ化される前に、エラストマー層及び／又は不織支持ウェブに積層されて中間積層体を形成してよい。これらの１つ以上の付加的な不織布ウェブは、約６、７、又は８ｇｓｍ〜約１０、１５、２０、２５、２０、又は３５ｇｓｍの秤量を有する。中間積層体の製造、及び結果として生じる伸縮部材の良好な機能特性を獲得するために、伸縮積層体の不織支持ウェブ及び積層体に接着される付加的な不織布ウェブが同じ原材料から作製されていると特に有利である。これらの不織支持ウェブ及び／又は付加的な不織布ウェブ層に可能な原材料には、ポリオレフィン類が挙げられる。さらに、これらの不織布ウェブ層は、１つを超える材料を含んでよい。例えば、不織支持及び付加的な不織布ウェブは、スパンボンド不織布（Ｓ）、スパンボンド／メルトブロウン不織布（ＳＭ）、スパンボンド／メルトブロウン／スパンボンド（ＳＭＳ）不織布、スパンボンド／メルトブロウン／メルトブロウン／スパンボンド（ＳＭＭＳ）、スパンボンド／メルトブロウン／メルトブロウン／スパンボンド／スパンボンド（ＳＭＭＳＳ）、及びこれらの組み合わせから成る群から選択される材料であってよい。むき出しのエラストマーコア層及び不織支持ウェブに接着される付加的な不織布ウェブ層は、エラストマー層の同一表面並びにエラストマー層の対向する表面（２つ以上の付加的な不織布ウェブ層が採用される際）上で異なる原材料から作製されてよいことが予測できる。伸縮積層体の付加的な不織布ウェブ層は、粘着性エラストマーコア層が完全に被覆されるのを確実にするために密度の高い繊維構造を有することが望ましい一方、積層体に接着している不織支持ウェブは、緩く、場合によっては嵩張った繊維構造を有し得る。
【００１８】
伸縮積層体のむき出しのエラストマー層は、好ましくは単一材料又は材料の混合物の層であり、この材料は、スチレンイソプレンスチレンブロックコポリマー類、スチレンブタジエンスチレンブロックコポリマー類、スチレンエチレンブチレンスチレンブロックコポリマー類、ポリウレタン、エチレンコポリマー類、及びこれらの組み合わせから成る群から選択される。エラストマーコア層と同様に、伸縮積層体は、貯蔵ロールから幅の広いウェブに巻き戻され、ストリップに切断され得る。ストリップは等距離の位置に処理され、移送ロールで平行に積層ユニット中に供給され、そこでこのストリップは１つ以上の付加的な不織布ウェブに積層される。付加的なステーションにおいて、不織布フィルム積層体の伸縮領域は、好ましくは延伸ロールユニットでのリングロールによって横断方向に延伸されることが可能である。好適な延伸ロールは、米国特許第４８３４７４１号から既知である。その延伸ロールを使用して、不織布フィルム積層体が横断方向に延伸される。積層されたストリップのエラストマーコア層の延伸は可逆的であるが、不織支持ウェブ及び付加的な不織布ウェブ層の延伸はそうではない。延伸ユニットを通過すると伸縮層は収縮し、エラストマー層の力のもとで、延伸された非伸縮性の非可逆層も収縮し、伸縮部材の容量を増加させる襞を形成する。先に述べたように、好適な延伸方法は、伸縮領域中の不織布フィルム積層体の伸長抵抗を削減するリングロールである。
【００１９】
代替の実施形態において、本発明の伸縮部材は、向かい合わせの関係で配置される２つ以上のエラストマー層及び不織支持ウェブ複合物を含んでよい。例えば、層は、エラストマー層に接着する不織支持ウェブを有して構成されるであろう。第２エラストマー層は、次に、第１エラストマー層の対向表面に接着し、第２不織支持ウェブは第２エラストマー層の第２表面に接着する。本実施形態も、次に、本明細書で記載されるようにリングロールされる。
【００２０】
他の使い捨て物品構成部分
図１は、接着積層による、不織支持ウェブ２の粘着性エラストマーコア層４への本発明の適用方法を示す。エラストマー層４は、例えば、押出成形機のようなエラストマー材料源から押し出される。エラストマー層４が巻かれる前に、剥離ライナー２がエラストマー層４の表面上に配置され、伸縮部材８が形成される。
【００２１】
図１に従って製造された伸縮部材８は、次に貯蔵ロール１０上にロールストック材料として変形され、本発明の使い捨て吸収物品の製造に使用される。図２は、伸縮部材８のストリップ、及び伸縮部材８の対向表面に配置される２つの付加的な不織布ウェブ１６を含む伸縮積層体２０の断面を表す。このタイプの伸縮積層体２０は、貯蔵ロール１０（図１に示す）から伸縮部材８を巻き戻し、剥離ライナー２を廃棄し、ブロッキングを防ぐために粉末添加剤を適用し、部材をストリップ１２に切断することで形成される。ストリップ１２は等距離の位置で、積層ユニット中に平行配置され、そこでこのストリップは、１つ以上の付加的な不織布ウェブ１６上又は不織布ウェブ１６間に接着積層される。付加的な不織布ウェブ１６は、ストリップ１２間の領域で直接連結され、実質的に非伸縮性である領域１４を形成する。ストリップ１２を含む伸縮部材８の領域は、実質的に伸縮性である領域１８を形成する。製造方法における付加的な部分において、伸縮部材８は、リングロールユニットによって実質的に伸縮性である領域１８中で横断方向に延伸される。このユニットはプロファイルロールを含み、これらのロールは伸縮部材８を横断方向に伸長する。エラストマー層２の伸長は可逆的であり、その一方で付加的な不織布ウェブの伸長は可逆的ではない。リングロールユニットを通過した後、伸縮部材８のエラストマー層２は収縮し、延伸した付加的な不織布ウェブ１６はうねり又はゆがみを形成し、それによって不織布層の容量が増大する。
【００２２】
図３Ａ〜３Ｃの各々は、伸縮部材８のストリップ１２を含む伸縮サイドパネル２２を表す。ストリップ１２は、様々な配置で耳部分に配置されてよい。図３Ａにおいて、ストリップ１２は互いに平行であって、互いに等距離となるように配置される。図３Ｂでは、耳の幅にわたって異なる延伸が付加されるように、ストリップ１２は異なる幅に切断される。図３Ｃは、おむつの耳の幅に沿って様々な力ベクトルが付加されるように、互いに平行及び非平行な位置の組み合わせで配置される異なる寸法のストリップ１２を含む。
【００２３】
図４は、本発明のおむつ２２０の広げた状態の平面図であり、おむつ２２０の構造をより明確に示すために構造の一部分を切り取った状態である。おむつ２２０の着用者に向く部分が、こちらに向いている。図４に示すように、おむつ２２０は、好ましくは、液体浸透性トップシート２２４、バックシート２２６、好ましくは、トップシート２２４の少なくとも一部分とバックシート２２６との間に位置付けられる吸収性コア２２８、サイドパネル２２、弾性レッグカフ３２、弾性腰部機構３４、及び概ね４０で示される締結装置を含む。図４では、おむつ２２０は、前側腰部領域３６、前側腰部領域３６と対向する後側腰部領域３８、及び前側腰部領域３６と後側腰部領域３８との間に位置する股領域３７を有するものとして示されている。おむつ２２０の周辺部はおむつ２２０の外縁部によって画定され、長手方向縁部５０がおむつ２２０の長手方向中心線１００にほぼ平行に延びており、直角に配置された端縁部５２が長手方向縁部５０の間でおむつ２２０の横方向中心線１１０にほぼ平行に延びている。
【００２４】
おむつ２２０のシャーシ２２２は、おむつ２２０の本体を含む。シャーシ２２２は、少なくとも吸収性コア２２８の一部分、並びに好ましくはトップシート２２４及び／又はバックシート２２６を含む外側カバーを含む。吸収性物品が、別個のホルダー及びライナーを含むならば、一般的にシャーシ２２２が、ホルダー及びライナーを含む。（例えば、ホルダーは、物品の外側カバーを形成する材料の１つ以上の層を含んでもよく、ライナーは、トップシート、バックシート、及び吸収性コアを含む吸収性組立品を含んでもよい。このような場合、ホルダー及び／又はライナーは、使用の間中、定位置にライナーを保持するために使用される締結要素を含んでもよい。）一体型吸収性物品では、シャーシ２２２は、おむつの主要構造を含み、おむつの複合構造を形成するために他の機構が追加されている。トップシート２２４、バックシート２２６、及び吸収性コア２２８は、種々の既知の形状に組み立てられてよいが、好ましいおむつの形状は、「使い捨ておむつの収縮性側部（Contractible Side Portions for Disposable Diaper）」という名称の米国特許第３，８６０，００３号（ケネス・Ｂ・ブエル（Kenneth B.Buell）、１９７５年１月１４日発行）、米国特許第５，１５１，０９２号（ブエル（Buell）、１９９２年９月９日発行）、米国特許第５，２２１，２７４号（ブエル（Buell）、１９９３年６月２２日発行）、「複数ゾーン構造の弾性様フィルムウェブの伸長性腰部機構を有する吸収性物品（Absorbent Article With Multiple Zone Structural Elastic-Like Film Web Extensible Waist Feature）」という名称の米国特許第５，５５４，１４５号（ロー（Roe）ら、１９９６年９月１０日発行）、「使い捨てプルオンパンツ（Disposable Pull-On Pant）」という名称の米国特許第５，５６９，２３４号（ブエル（Buell）ら、１９９６年１０月２９発行）、「吸収性物品用サイドパネルを製造するためのゼロスクラップ法（Zero Scrap Method For Manufacturing Side Panels For Absorbent Articles）」という名称の米国特許第５，５８０，４１１号（ニース（Nease）ら、１９９６年１２月３日発行）、及び「多方向伸長サイドパネルを有する吸収性物品（Absorbent Article With Multi-Directional Extensible Side Panels）」という名称の米国特許第６，００４，３０６号（ローブルズ（Robles）ら、１９９９年１２月２１日発行）に概ね記載されている。
【００２５】
バックシート２２６は、一般的に、吸収性コア２２８の衣類に面する表面に隣接して位置付けられるおむつ２２０の部分であり、吸収され中に収容される排出物が、おむつ２２０と接触する可能性があるベッドシーツや下着などの物品を汚すことを防ぐ。好ましい実施形態では、バックシート２２６は、液体（例えば尿）に不透過性であり、厚さ約０．０１２ｍｍ（０．５ミル）〜約０．０５１ｍｍ（２．０ミル）の熱可塑性フィルムなどの薄いプラスチックフィルムを含む。好適なバックシートフィルムとしては、トレデガー社（Tredegar Corporation）（本拠地バージニア州リッチモンド）により製造され、商標名ＣＰＣ２フィルムとして販売されるものが挙げられる。他の好適なバックシート材料として、おむつ２２０から蒸気を逃すものの、排出物がバックシート２２６を通過することを防ぐ、通気性材料を挙げることができる。代表的な通気性材料としては、織布ウェブ、不織布ウェブ、フィルムコーティングされた不織布ウェブのような複合材料、日本の三井東圧（Mitsui Toatsu Co.）によりＥＳＰＯＩＲ  ＮＯの表記で製造されるもの、及びバージニア州リッチモンド（Richmond, VA）のトレデガー（Tredegar）社により製造されてＥＸＡＩＲＥの表記で販売されるものような、ミクロ孔質フィルム、並びにオハイオ州シンシナティ（Cincinnati）のクロペイ社（Clopay Corporation）によりＨＹＴＲＥＬブレンドＰ１８−３０９７の名称で製造されるもののようなモノリシックフィルムなどの材料を挙げることができる。ある通気性複合材料については、ＰＣＴ出願番号ＷＯ９５／１６７４６号（Ｅ．Ｉ．デュポン（E. I. DuPont）、１９９５年６月２２日公開）、米国特許第５，９３８，６４８号（ラボン（LaVon）ら、１９９９年８月１７日発行）、米国特許第５，８６５，８２３号（クーロ（Curro）、１９９９年２月２日発行）、及び米国特許第５，５７１，０９６号（ドブリン（Dobrin）ら、１９９６年１１月５日発行）により詳しく記載されている。
【００２６】
バックシート２２６又はそのいずれかの部分は、１以上の方向に弾性的に延伸性であってよい。一実施形態では、バックシート２２６は、構造的に弾性様のフィルム（「ＳＥＬＦ」）ウェブを含んでもよい。構造的に弾性様のフィルムウェブは、追加の弾性材料を使用せずに伸長方向に弾性様挙動を示す延伸性材料であり、詳細には、「弾性様挙動を示すウェブ材料（Web Materials Exhibiting Elastic-Like Behavior）」という名称の米国特許第５，５１８，８０１号（チャッペル（Chappell）ら、１９９６年５月２１日発行）に説明されている。別の実施形態では、バックシート２６は、エラストマーフィルム、発泡体、ストランド、若しくはこれらの組み合わせ、又は他の好適な材料と不織布若しくは合成フィルムとの組み合わせを含んでよい。
【００２７】
バックシート２２６は、当該技術分野で既知のいずれかの取付け手段によって、トップシート２２４、吸収性コア２２８、又はおむつ２２０の他のいずれかの要素に結合されてもよい。（本明細書で使用する時、用語「結合された」は、ある要素が、それを直接別の要素に取り付けられることによってその別の要素に直接固定される構成と、ある要素が、それを中間部材に取り付け、次にその中間部材を別の要素に取り付けることによって、その別の要素に間接的に固定される構成とを包含する。）例えば、取付け手段としては、接着剤の均一な連続層、接着剤のパターン付き層、又は接着剤の個々の線、らせん、若しくは点の配列を挙げることができる。１つの好ましい取付け手段は、「使い捨て排泄物収容衣類（Disposable Waste-Containment Garment）」という名称の米国特許第４，５７３，９８６号（ミネトラ（Minetola）ら、１９８６年３月４日発行）に開示されているように、接着剤フィラメントのオープンパターンネットワーク（open pattern network）を含む。他の好適な取付け手段として、米国特許第３，９１１，１７３号（スプレイグ・ジュニア（Sprague, Jr.）、１９７５年１０月７日発行）、米国特許第４，７８５，９９６号（ツィーカー（Ziecker）ら、１９７８年１１月２２日発行）、及び米国特許第４，８４２，６６６号（ウェレニック（Werenicz）、１９８９年６月２７日発行）に示される装置及び方法により説明されるような、らせんパターンに渦を巻く、いくつかの線の接着剤フィラメントが挙げられる。満足のいくものであることが判明した接着剤は、ミネソタ州セントポールのＨ．Ｂ．フラー社（H.B.Fuller Company）によって製造され、ＨＬ−１６２０及びＨＬ１３５８−ＸＺＰとして市販されている。あるいは、取付け手段は、熱ボンド、圧力接着、超音波接着、動的機械的結合、若しくは当該技術分野で既知の他の好適な取付け手段、又はこれら取付け手段の組み合わせを含んでもよい。
【００２８】
トップシート２２４は、好ましくは、吸収性コア２２８の本体表面に隣接して位置付けられ、当該技術分野で既知のいかなる取付け手段により吸収性コア２２８及び／又はバックシート２２６に結合されてもよい。好適な取付け手段は、バックシート２２６をおむつ２２０の他の要素に結合させるための手段に関して上述されている。本発明の好ましい一実施形態において、トップシート２２４とバックシート２２６は、いくつかの箇所で互いに直接結合し、別の箇所では、おむつ２２０の１つ以上の他の要素へこれらを直接結合することにより、間接的に共に結合している。
【００２９】
トップシート２２４は、好ましくは順応性があり、柔らかな感触であり、着用者の皮膚を刺激しない。さらに、トップシート２２４の少なくとも一部分は液体浸透性であり、液体はその厚さを容易に浸透することができる。好適なトップシートは、例えば、多孔質発泡体、網状発泡体、孔あきプラスチックフィルム、又は天然繊維（例えば木材繊維又は綿繊維）、合成繊維（例えばポリエステル繊維又はポリプロピレン繊維）、若しくは天然繊維と合成繊維との組み合わせによる、織布又は不織布材料などの、広範囲の材料から製造することができる。トップシート２２４が繊維を含む場合、その繊維は、スパンボンド、カーディング、湿式載置、メルトブロウン、水流交絡、又は当該技術分野において既知の他の方法で加工されてもよい。ステープル長さのポリプロピレン繊維のウェブを含む１つの好適なトップシート２２４は、商標名Ｐ−８の表記でヴェラテック社（Veratec, Inc.）（マサチューセッツ州ウォルポールのインターナショナルペーパー社（International Paper Company）の一部門）によって製造される。
【００３０】
好適な成形フィルムトップシートは、米国特許第３，９２９，１３５号、名称「先細の毛管を有する吸収性構造体（Absorptive Structures Having Tapered Capillaries）」（トンプソン（Thompson）、１９７５年１２月３０日発行）、米国特許第４，３２４，２４６号、名称「汚れにくいトップシートを有する使い捨て吸収性物品（Disposable Absorbent Article Having A Stain Resistant Topsheet）」（ミュレイン（Mullane）ら、１９８２年４月１３日発行）、米国特許第４，３４２，３１４号、名称「繊維様の特性を示す弾性プラスチックウェブ（Resilient Plastic Web Exhibiting Fiber-Like Properties）」（ラデル（Radel）ら、１９８２年８月３日発行）、米国特許第４，４６３，０４５号、名称「無光沢の可視表面及び布様の触感を示す巨視的に伸張された三次元プラスチックウェブ（Macroscopically Expanded Three-Dimensional Plastic Web Exhibiting Non-Glossy Visible Surface and Cloth-Like Tactile Impression）」（アール（Ahr）ら、１９８４年７月３１日発行）、及び米国特許第５，００６，３９４号、名称「多層高分子フィルム（Multilayer Polymeric Film）」（ベアード（Baird）、１９９１年４月９日発行）に記載されている。他の好適なトップシート３０は、米国特許第４，６０９，５１８号、及び同４，６２９，６４３号（クーロ（Curro）ら、それぞれ１９８６年９月２日及び１９８６年１２月１６日発行）に従って作られてもよい。こうした成形フィルムは、プロクター・アンド・ギャンブル社（The Procter & Gamble Company）（オハイオ州シンシナティ）から「ドライウィーブ（DRI-WEAVE）」として、及びトレデガー社（Tredegar Corporation）（バージニア州リッチモンドを拠点とする）から「クリフ−Ｔ（CLIFF-T）」として入手可能である。
【００３１】
ある実施形態では、着用者の皮膚を吸収性コア２２８に収容された液体から隔てるために、トップシート２２４の少なくとも一部分を疎水性材料で作製するか、又は疎水性となるように処理する。トップシート２２４を疎水性材料で作製するならば、好ましくはトップシート２２４の上面の少なくとも一部分を親水性になるよう処理して、液体がより迅速にトップシートを通って移動するようにする。トップシート２２４は、界面活性剤で処理することにより、又は界面活性剤をトップシート中に組み込むことにより、親水性にすることができる。トップシート２２４を界面活性剤で処理する好適な方法としては、トップシート２４材料に界面活性剤を噴霧すること、及び／又は材料を界面活性剤に浸漬することが挙げられる。このような処理及び親水性のより詳細な論考は、米国特許第４，９８８，３４４号、名称「多層吸収性層を有する吸収性物品（Absorbent Articles with Multiple Layer Absorbent Layers）」（レイシング（Reising）ら、１９９１年１月２９日発行）、及び米国特許第４，９８８，３４５号、名称「急速獲得吸収性コアを有する吸収性物品（Absorbent Articles with Rapid Acquiring Absorbent Cores）」（レイシング（Reising）、１９９１年１月２９日発行）に盛り込まれている。トップシート２２４中に界面活性剤を組み込むための、いくつかの好適な方法のより詳細な論考は、米国法定発明登録番号Ｈ１６７０（アジズ（Aziz）ら、１９９７年７月１日公開）に見出すことができる。あるいは、トップシート２２４には、疎水性の孔あきウェブ又はフィルムが含まれてもよい。これは、以下のように、製造方法から親水性化処理工程を省くことにより、及び／又はスコッチガード（SCOTCHGUARD）のようなポリテトラフルオロエチレン（polytetrafluroethylene）化合物若しくは疎水性ローション組成物など、トップシート２２４に疎水処理を施すことにより、成し遂げることが可能である。そのような実施形態では、開口は、尿のような水性流体が著しい抵抗を受けることなく浸透できるように、十分大きいことが好ましい。
【００３２】
トップシート２２４のいかなる部分も、当該技術分野で既知のローションでコーティングされてよい。好適なローションの例は、米国特許第５，６０７，７６０号、名称「皮膚軟化剤及びポリオールポリエステル固定剤を含有するローションが施されたトップシートを有する使い捨て吸収性物品（Disposable Absorbent Article Having A Lotioned Topsheet Containing an Emollient and a Polyol Polyester Immobilizing Agent）」（ロー（Roe）、１９９７年３月４日発行）、米国特許第５，６０９，５８７号、名称「液状ポリオールポリエステル皮膚軟化剤及び固定剤を含むローション付きトップシートを有するおむつ（Diaper Having A Lotion Topsheet Comprising A Liquid Polyol Polyester Emollient And An Immobilizing Agent）」（ロー（Roe）、１９９７年３月１１日発行）、米国特許第５，６３５，１９１号、名称「ポリシロキサン皮膚軟化剤を含有するローションが施されたトップシートを有するおむつ（Diaper Having A Lotioned Topsheet Containing A Polysiloxane Emollient）」（ロー（Roe）ら、１９９７年６月３日発行）、米国特許第５，６４３，５８８号、名称「ローションが施されたトップシートを有するおむつ（Diaper Having A Lotioned Topsheet）」（ロー（Roe）ら、１９９７年７月１日発行）、米国特許第５，９６８，０２５号、名称「ローションが施されたトップシートを有する吸収性物品（Absorbent Article Having a Lotioned Topsheet）」（ロー（Roe）ら、１９９９年１０月１９日発行）、及び米国特許第６，７１６，４４１号、名称「有効成分を効率的に放出するための組成物（Compositions for the efficient release of active ingredients）」（オズボーン（Osborne）、２００４年４月６日発行）らに記載されているものが挙げられる。ローションは、単独で又は以上に記載された疎水性化処理剤のような別の剤と組み合わせて作用することができる。トップシート２２４には、抗菌剤を含有させても、抗菌剤によって処理を施してもよく、このいくつかの例が、ＰＣＴ公開番号ＷＯ９５／２４１７３号、名称「臭気制御のためトップシートの中に抗菌剤を含有している吸収性物品（Absorbent Articles Containing Antibacterial Agents in the Topsheet For Odor Control）」（テレサ・ジョンソン（Theresa Johnson）、１９９５年９月１４日公開）に開示されている。さらに、トップシート２４、バックシート２６、又はトップシート若しくはバックシートの任意の部分が、エンボス加工及び／又はつや消し仕上げされて、より布様の外観をもたらしてもよい。
【００３３】
トップシート２２４は、そこを通る排出物、例えば尿及び／又は糞便（固体、半固体、又は液体）の浸透を容易にするために、１つ以上の孔を含んでもよい。少なくとも一次開口のサイズは、所望の排泄物封入性能を得るために重要である。一次開口が小さすぎると、排泄物は、排泄物源と開口位置との配列が良くないことが原因で、又は開口より大きい直径を有する糞便の塊が原因で、開口を通過しないことがある。開口が大きすぎると、物品からの「再湿潤」により汚染される可能性のある皮膚領域が広がる。一般的に開口は、約１０ｃｍ２から約５０ｃｍ２までの区域を有するべきである。好ましくは開口は、約１５ｃｍ２から３５ｃｍ２までの区域を有する。
【００３４】
さらに、トップシート２２４は、トップシート２２４とコア２２８との間に空間を提供するように、完全に若しくは部分的に伸縮性があってもよいし、又は短縮されてもよい。伸縮性をもたせ、又は短縮されたトップシートを含む代表的な構造体が、「弾性ストランドを有する吸収性物品（Absorbent Article Having Elastic Strands）」という名称の米国特許第４，８９２，５３６号（デマレーズ（Des Marais）ら、１９９０年１月９日発行）、「排出物隔離のための弾性ライナーを有する吸収性物品（Absorbent Article With Elastic Liner For Waste Material Isolation）」という名称の米国特許第４，９９０，１４７号（フリーランド（Freeland）、１９９１年２月５日発行）、「弾性的伸長性トップシートを有する使い捨て吸収性物品（Disposable Absorbent Article Having Elastically Extensible Topsheet）」という名称の米国特許第５，０３７，４１６号（アレン（Allen）ら、１９９１年８月６日発行）、及び「使い捨て吸収性物品用の三分割トップシート及びその三分割トップシートを有する使い捨て吸収性物品（Trisection Topsheets For Disposable Absorbent Articles and Disposable Absorbent Articles Having Such Trisection Topsheets）」という名称の米国特許第５，２６９，７７５号（フリーランド（Freeland）ら、１９９３年１２月１４日発行）においてより詳細に記載されている。
【００３５】
吸収性コア２２８は、一般的に圧縮性であり、適合性があり、着用者の皮膚に刺激がなく、並びに尿及び他の特定の身体排出物などの液体を吸収し保持できる、いかなる吸収性材料を含んでもよい。吸収性コア２２８は、多種多様な寸法及び形（例えば、長方形、砂時計型、「Ｔ」字型、非対称形など）で製造されてもよく、また使い捨ておむつ及び他の吸収性物品に通常使用される、例えば一般にエアフェルトと呼ばれる粉砕木材パルプなどの、多種多様な液体吸収性材料を含んでもよい。その他の好適な吸収性材料の例には、捲縮セルロース塊、コフォームを含むメルトブローンポリマー、化学的に剛化、変性、若しくは架橋されたセルロース繊維、ティッシュラップ及びティッシュ積層体を含むティッシュ、吸収性発泡体、吸収性スポンジ、超吸収性ポリマー、吸収性ゲル材料、又は他のいかなる既知の吸収性材料、又は材料の組み合わせもが挙げられる。
【００３６】
吸収性コア２２８の構成及び構造はまた、様々であってよい（例えば、吸収性コア又は他の吸収性構造体は、異なるキャリパー区域、親水性勾配、超吸収性勾配、若しくはより低い平均密度及びより低い平均坪量の獲得区域を有してもよく、又は１つ以上の層若しくは構造体を含んでもよい）。吸収性コア２２８として使用する代表的な吸収性構造体は、「高密度吸収性構造体（High-Density Absorbent Structures）」という名称の米国特許第４，６１０，６７８号（ワイスマン（Weisman）ら、１９８６年９月９日発行）、「二重層コアを有する吸収性物品（Absorbent Articles With Dual-Layered Cores）」という名称の米国特許第４，６７３，４０２号（ワイスマン（Weisman）ら、１９８７年６月１６日発行）、「低密度と低坪量の獲得区域を有する高密度吸収性部材（High Density Absorbent Members Having Lower Density and Lower Basis Weight Acquisition Zones）」という名称の米国特許第４，８３４，７３５号（アレマニー（Alemany）ら、１９８９年５月３０日発行）、「粉末層を有する吸収性コア（Absorbent Core Having A Dusting Layer）」という名称の米国特許第４，８８８，２３１号（アングスタット（Angstadt）、１９８９年１２月１９日発行）、「個別のポリカルボン酸架橋木材パルプセルロース繊維を含有する吸収構造体（Absorbent Structure Containing Individualized,Polycarboxylic Acid Crosslinked Wood Pulp Cellulose Fibers）」という名称の米国特許第５，１３７，５３７号（ヘロン（Herron）ら、１９９２年８月１１日発行）、「失禁管理用の高効率吸収性物品（High Efficiency Absorbent Articles For Incontinence Management）」という名称の米国特許第５，１４７，３４５号（ヤング（Young）ら、１９９２年９月１５日発行）、「低粘度糞便物質用の使い捨て吸収性物品（Disposable A
bsorbent Article For Low-Viscosity Fecal Material）」という名称の米国特許第５，３４２，３３８号（ロー（Roe）、１９９４年８月３０日発行）、「水性体液用の吸収性発泡材料とかかる材料を収容する吸収性物品（Absorbent Foam Materials For Aqueous Body Fluids and Absorbent Articles Containing Such Materials）」という名称の米国特許第５，２６０，３４５号（デマレーズ（DesMarais）ら、１９９３年１１月９日発行）、「水性体液用の濡れるまでは薄い吸収性発泡材料とその製造方法（Thin-Until-Wet Absorbent Foam Materials For Aqueous Body Fluids And Process For Making Same）」という名称の米国特許第５，３８７，２０７号（ダイアー（Dyer）ら、１９９５年２月７日発行）、及び「非常に高い水対油比を有する高内相エマルジョンから製造された水性流体用の吸収性発泡材料（Absorbent Foam Materials For Aqueous Fluids Made From high Internal Phase Emulsions Having Very High Water-To-Oil Ratios）」という名称の米国特許第５，６２５，２２２号（デマレーズ（DesMarais）ら、１９９７年７月２２日発行）に記載されている。
【００３７】
また、おむつ２２０は、トップシート２２４とバックシート２２６との間に配置された副層を含んでもよい。（本明細書で使用する時、用語「配置された」とは、おむつの要素が、おむつの他の要素と共に一体型構造体として、又はおむつの別の要素に結合された別個の要素として、特定の場所又は位置に形成される（結合され位置付けられる）ことを意味するのに用いられる。）副層は、身体滲出物を受容する、貯蔵する、又は固定化することのできるいかなる材料又は構造体であってもよい。したがって、副層は、単一材料、又は相互に動作可能に連動する多くの材料を含んでもよい。さらに、副層は、おむつ２２０の他の要素と一体であっても、おむつ２２０の１つ以上の要素と直接的に又は間接的に結合した１つ以上の別個の要素であってもよい。さらに、副層は、コア２２８から分離した構造体を含んでもよく、コア７２８の少なくとも一部分を含むか又はその一部であってもよい。
【００３８】
副層として使用するのに好適な材料としては、大型連続気泡発泡体、マクロ孔質耐圧縮不織布嵩高品、連続気泡発泡体及び閉塞気泡発泡体の大型粒子状成形物（large size particulate forms）（マクロ孔質及び／又はミクロ孔質）、嵩高不織布、ポリオレフィン、ポリスチレン、ポリウレタン発泡体又は粒子、多数の垂直配向のループ状繊維ストランドを含む構造体、打ち抜き穴又は窪みを有する上述の吸収性コア構造体などを挙げることができる。（本明細書で使用する時、用語「ミクロ孔質」とは、毛管現象により流体を移送できる材料を指す。用語「マクロ孔質」とは、孔が大きすぎて流体の毛管移送ができない材料を指し、一般に直径が約０．５ｍｍよりも大きい孔を有し、より厳密には、直径が約１．０ｍｍより大きい孔を有する。）副層の一実施形態は、非圧縮厚さ約１．５ｍｍを有する、機械的に締結するループランディング要素（ＸＰＬ−７１２４として３Ｍ社（ミネソタ州ミネアポリス）から入手できる）を含む。別の実施形態は、１平方メートル当たり１１０グラムの坪量及び７．９ミリメートルの非圧縮厚みを有する、けん縮され樹脂結合された６デニールの不織布嵩高品を含み、これは、グリット社（Glit Company）（ジョージア州レンス（Wrens））から入手できる。他の好適な吸収性及び非吸収性副層は、米国特許第６，６８０，４２２号、名称「低粘度の糞便物質の貯蔵能力を有する使い捨て吸収性物品（Disposable Absorbent Article Having Capacity to Store Low-Viscosity Fecal Material）」（ロー（Roe）、２００４年１月２０日発行）、及び米国特許第５，９４１，８６４号、名称「改善された糞便貯蔵を有する使い捨て吸収性物品（Disposable Absorbent Article Having Improved Fecal Storage）」（ロー（Roe）、１９９年８月２４日発行）に記載されている。さらに、副層又はそのいかなる部分も、ローション若しくは他の既知の物質を含むか、又はローション若しくは他の既知の物質でコーティングされて、その要素の性能又は他の特性に追加、強化、若しくはこれを変化させてもよい。
【００３９】
おむつ２２０はまた、改善された適合と収容を提供するために役立つ、少なくとも１つの弾性腰部機構２３４を含んでもよい。弾性腰部機構２３４は、一般に、弾性的に拡張及び収縮して、着用者の腰部に動的に適合することを意図している。弾性腰部機構２３４は、好ましくは、吸収性コア２２８の少なくとも１つの腰部縁部から少なくとも長手方向外側に延び、通常、おむつ２２０の端縁部５２の少なくとも一部分を形成する。使い捨ておむつは、１つが第一腰部領域３６に位置し、１つが第二腰部領域３８に位置する、２つの弾性腰部機構を有するように構成されることが多い。さらに、弾性腰部機構２３４又はそのいずれかの構成要素は、おむつ２２０に結合された１つ以上の別個の要素を含んでもよく、弾性腰部機構２３４は、バックシート２２６、トップシート２２４、又はバックシート２２６とトップシート２２４の両方などの、おむつ２２０の他の要素の延伸部として構成されてもよい。
【００４０】
弾性腰部機構２３４は多数の種々の形体に構成されてもよく、それらには、米国特許第４，５１５，５９５号（キービット（Kievit）ら、１９８５年５月７日発行）、米国特許第４，７１０，１８９号（ラッシュ（Lash）、１９８７年１２月１日発行）、米国特許第５，１５１，０９２号（ブエル（Buell）、１９９２年９月９日発行）、及び米国特許第５，２２１，２７４号（ブエル（Buell）、１９９３年６月２２日発行）に記載されるようなものが挙げられる。その他の好適な腰部形態は、米国特許第５，０２６，３６４号（ロバートソン（Robertson）、１９９１年６月２５日発行）、及び米国特許第４，８１６，０２５号（フォアマン（Foreman）、１９８９年３月２８日発行）に記載されるもののような腰部キャップ特徴を含むことができる。
【００４１】
おむつ２２０はまた、締結装置４０を含んでもよい。締結装置４０は、好ましくは、着用者におむつ２２０を保持するためにおむつ２２０の外周の周囲に横向きの張力を提供するような配置に、前側腰部領域３６及び後側腰部領域３８を維持する。好ましくは、締結装置４０は、例えば、テープ状ひも、フックとループの締結要素、タブ及びスロットのような係合締結具、バックル、ボタン、スナップ、及び／又は雌雄同体締結要素等の締結具を含むが、他の既知のいかなる締結手段も、一般に容認できる。いくつかの代表的な表面締結装置は、米国特許第３，８４８，５９４号、名称「使い棄ておむつのテープ式締結装置（Tape Fastening System for Disposable Diaper）」（ブエル（Buell）、１９７４年１１月１９日発行）、米国特許Ｂ１第４，６６２，８７５号、名称「吸収性物品（Absorbent Article）」（ヒロツ（Hirotsu）ら、１９８７年５月５日発行）、米国特許第４，８４６，８１５号、名称「改善された締結装置を有する使い捨ておむつ（Disposable Diaper Having An Improved Fastening Device）」（スクリップス（Scripps）、１９８９年７月１１日発行）、米国特許第４，８９４，０６０号、名称「改善されたフック締結具部分を有する使い捨ておむつ（Disposable Diaper With Improved Hook Fastener Portion）」（ネステガード（Nestegard）、１９９０年１月１６日発行）、米国特許第４，９４６，５２７号、名称「感圧性接着剤締結具及びその作製方法（Pressure-Sensitive Adhesive Fastener And Method of Making Same）」（バトレル（Battrell）、１９９０年８月７日発行）、上で参照された米国特許第５，１５１，０９２号（ブエル（Buell）、１９９２年９月９日発行）、及び米国特許第５，２２１，２７４号（ブエル（Buell）、１９９３年６月２２日発行）に開示されている。代表的な係合締結装置は、同時係属中の米国特許第６，４３２，０９８号、名称「吸収性物品締結装置（Absorbent Article Fastening Device）」（クラ
イン（Kline）ら、２００２年８月１３日発行）に開示されている。締結装置４０は、米国特許第４，９６３，１４０号（ロバートソン（Robertson）ら、１９９０年１０月１６日発行）に開示されたような、処分形態で物品を保持する手段を提供してもよい。締結装置には、重なり合う部分の移動を減少させるために、「改良された側面閉鎖を有する使い捨ておむつ（Disposable Diaper Having An Improved Side Closure）」という名称の米国特許第４，６９９，６２２号（トウサント（Toussant）ら、１９８７年１０月１３日発行）に開示されるような、又は適合性を改善するために、「動的伸縮性ウエストバンド適合性を提供する締結装置を備える吸収性物品（Absorbent Article With Fastening System Providing Dynamic Elasticized Waistband Fit）」という名称の米国特許第５，２４２，４３６号（ウェイル（Weil）ら、１９９３年９月７日発行）、「弾力的傾向のある曲げヒンジを有する動的弾性腰部機構を備えた吸収性物品（Absorbent Article With Dynamic Elastic Waist Feature Having A Predisposed Resilient Flexural Hinge）」という名称の米国特許第５，４９９，９７８号（ブエル（Buell）ら、１９９６年３月１９日発行）、「膨張性タミーパネルを含む動的弾性腰部機構を備えた吸収性物品（Absorbent Article With Dynamic Elastic Waist Feature Comprising An Expansive Tummy Panel）」という名称の米国特許第５，５０７，７３６号（クリヤー（Clear）ら、１９９６年４月１６日発行）、及び「弾力的傾向のある曲げヒンジを有する動的弾性腰部機構を備えた吸収性物品（Absorbent Article With Dynamic Elastic Waist Feature Having A Predisposed Resilient Flexural Hinge）」という名称の米国特許第５，５９１，１５２号（ブエル（Buell）ら、１９９７年１月７日発行）で開示されるような、一次及び二次締結装置が含まれてもよい。
【００４２】
代替実施形態では、製造業者が物品を予備成形してパンツを作り出してもよい。本明細書で使用する時、用語「パンツ」は、乳幼児又は成人の着用者のために設計された腰部開口部及び脚部開口部を有する使い捨て衣類を指す。パンツは、着用者の脚を脚部開口部に挿入し、パンツを着用者の胴体下部の周囲の適所に滑らせることにより、着用者の定位置に設置されることができる。パンツは、いずれかの好適な技法により予備成形されてもよく、それには再締結可能及び／又は再締結不可能な接合（例えば、シーム、溶着、接着剤、粘着性接合、締結具など）を用いて物品の一部を共に結合することが挙げられるが、これらに限定されない。パンツは、物品の外周に沿ったどの箇所で（例えば、側面締結、前側腰部締結）予備成形されてもよい。本明細書では、用語「パンツ」が用いられるが、パンツはまた一般的に「閉じたおむつ」、「予備締結されたおむつ」、「プルオンおむつ」、「トレーニングパンツ」、及び「おむつパンツ」とも言われる。好適なパンツは、米国特許第５，２４６，４３３号（ハッセ（Hasse）ら、１９９３年９月２１日発行）、米国特許５，５６９，２３４号（ブエル（Buell）ら、１９９６年１０月２９日発行）、米国特許第６，１２０，４８７号（アシュトン（Ashton）、２０００年９月１９日発行）、米国特許第６，１２０，４８９号（ジョンソン（Johnson）ら、２０００年９月１９日発行）、米国特許第４，９４０，４６４号（ヴァン・ゴンペル（Van Gompel）ら、１９９０年７月１０日発行）、米国特許第５，０９２，８６１号（ノムラ（Nomura）ら、１９９２年３月３日発行）、２００２年６月１３日出願の「高可撓性及び低変形性の締結装置（Highly Flexible And Low Deformation Fastening Device）」という名称の米国特許出願第１０／１７１，２４９号、米国特許第５，８９７，５４５号（クライン（Kline）ら、１９９９年４月２７日発行）、米国特許第５，９５７，９０８号（クラインら、１９９９年９月２８日発行）に開示されている。
【００４３】
おむつ２２０はまた、サイドパネル２２を含んでもよい。最初におむつ２２０を着用者に合わせてぴったり適合させることによって、また、弾性サイドパネル２２がおむつ２２０の側面を拡張及び収縮させるので、おむつ２２０が排出物で満たされた際に、着用時間を優に超えてもその適合を維持させることによって、より心地よく且つ体型に沿った適合を提供するために、おそらく１つ以上のサイドパネル２２が伸縮部材８を含み、またそれらは伸縮性又は延伸性であるべきである。たとえ適用中におむつが一方の弾性サイドパネル２２をもう一方より遠くに引っ張ったとしても、おむつ２２０は着用中に「自己調整」するので、サイドパネル２２は、おむつ２２０のより有効な活用も提供することができる。
【００４４】
本発明のおむつ２２０は、後側腰部領域３８中に配置されるサイドパネル２２を有するのが好ましい一方で、おむつ２２０は、前側腰部領域３６又は前側腰部領域３６及び後側腰部領域３８の両方に配置されるサイドパネル２２を備えてもよい。
【００４５】
おむつ２２０は、好ましくは、液体及び他の身体排出物の収容性を改善するレッグカフ３２をさらに含む。またレッグカフ３２は、レッグバンド、サイドフラップ、バリアカフ、又は伸縮性カフと呼んでもよい。米国特許第３，８６０，００３号には、サイドフラップ、及び弾性レッグカフ（ガスケットカフ）を提供する１つ以上の弾性部材を有する、収縮可能な脚部開口部を提供する使い捨ておむつが記載されている。アジズ（Aziz）らに対して１９８９年２月２８日及び１９９０年３月２０日にそれぞれ発行された米国特許第４，８０８，１７８号、及び第４，９０９，８０３号は、脚部領域の収容性を改善する「立ち上がった」伸縮性フラップ（バリアカフ）を有する使い捨ておむつを記載している。米国特許第４，６９５，２７８号（ローソン（Lawson）、１９８７年９月２２日発行）、及び米国特許第４，７９５，４５４号（ドラグー（Dragoo）、１９８９年１月３日発行）は、ガスケットカフとバリアカフとを含む二重カフを有する使い捨ておむつを記載している。ある実施形態では、上述のようにレッグカフ３２の全体又は一部をローションで処理することが望ましい可能性がある。
【００４６】
本発明の物品に含めてもよい別の構成要素は、米国特許出願第１１／０５５，７４３号（Ｐ＆Ｇケース９５２８Ｍ）に開示されるような疎水性表面コーティングである。この疎水性表面コーティングを、バリア層上で本発明のバリアコーティングと組み合わせてもよく、又は本発明の吸収性物品若しくは複合物の１つ以上の追加的な構成部分に隣接して配置してもよい。例えば、この疎水性表面コーティングを、１つ以上のレッグカフ、ウエスト部分、又は吸収性物品の他の領域の内面上に配置してもよい。
【００４７】
本発明の実施形態には、また、排泄物を受取り収容するためのポケット、排泄物のための空隙を提供するスペーサ、物品内での排泄物の動きを制限するためのバリア、おむつ２２０内に堆積された排泄物質を受容し収容する区画若しくは空隙など、又はこれらのいかなる組み合わせもが含まれてよい。吸収性製品にて使用するためのポケット及びスペーサの例は、米国特許第５，５１４，１２１号、名称「排出スペーサを有するおむつ（Diaper Having Expulsive Spacer）」（ロー（Roe）ら、１９９６年５月７日発行）、米国特許第５，１７１，２３６号、名称「コアスペーサを有する使い捨て吸収性物品（Disposable Absorbent Article Having Core Spacers）」（ドライア（Dreier）ら、１９９２年１２月１５日発行）、米国特許第５，３９７，３１８号、名称「ポケットカフを有する吸収性物品（Absorbent Article Having A Pocket Cuff）」（ドライア（Dreier）、１９９５年３月１４日発行）、米国特許第５，５４０，６７１号、名称「頂点付きポケットカフを有する吸収性物品（Absorbent Article Having A Pocket Cuff With An Apex）」（ドライア（Dreier）、１９９６年７月３０日発行）、米国特許第６，１６８，５８４号、名称「衛生用吸収性物品にて使用するためのスペーサ及びこのようなスペーサを有する使い捨て吸収性物品（Spacers For Use In Hygienic Absorbent Articles And Disposable Absorbent Articles Having Such Spacer）」（アレン（Allen）ら、２００１年１月２日発行）、米国特許第５，３０６，２６６号、名称「使い捨て吸収性物品にて使用するための可撓性スペーサ（Flexible Spacers For Use In Disposable Absorbent Articles）」（フリーランド（Freeland）、１９９４年４月２６日発行）、及び米国特許第５，９９７，５２０号、名称「選択的に拡張できる又は膨張できる構成要素を有する使い捨て吸収性物品（Disposable Absorbent Ar
ticle With Selectively Expandable or Inflatable Component）」（アール（Ahr）ら、１９９９年１２月７日発行）に記載されている。区画又は空隙の例は、「使い捨て糞便区画おむつ（Disposable Fecal Compartmenting Diaper）」という名称の米国特許第４，９６８，３１２号（カーン（Khan）、１９９０年１１月６日発行）、「排泄物質隔離用弾性ライナーを有する吸収性物品（Absorbent Article With Elastic Liner For Waste Material Isolation）」という名称の米国特許第４，９９０，１４７号（フリーランド（Freeland）、１９９１年２月５日発行）、「使い捨ておむつ」という名称の米国特許第５，０６２，８４０号（ホルト（Holt）ら、１９９１年１１月５日発行）、及び「使い捨て吸収性物品用の三分割トップシート及びその三分割トップシートを有する使い捨て吸収性物品（Trisection Topsheets For Disposable Absorbent Articles And Disposable Absorbent Articles Having Such Trisection Topsheets）」という名称の米国特許第５，２６９，７５５号（フリーランド（Freeland）ら、１９９３年１２月１４日発行）に開示されている。好適な横断方向バリアの例は、「複数の有効高さ横断方向隔壁を有する吸収性物品（Absorbent Article Having Multiple Effective Height Transverse Partition）」という名称の米国特許第５，５５４，１４２号（ドライア（Dreier）ら、１９９６年９月１０日発行）、「直立横断方向隔壁を有する吸収性物品（Absorbent Article Having An Upstanding Transverse Partition）」という名称のＰＣＴ国際公開特許ＷＯ９４／１４，３９５（フリーランド（Freeland）ら、１９９４年７月７日公開）、及び「角直立横断方向隔壁を有する吸収性物品（Absorbent Article Having Angular Upstanding Transverse Partition）」という名称の米国特許第５，６５３，７０３号（ロー（Roe）ら、１９９７年８月５日発行）に記載されている。低粘度の糞便の管理に特に好適な他の構造体の例は、米国特許第５，９４１，８６４号（ロー（Roe）ら、１９９９年８月２４日発行）、米国特許第５，９７７，４３０号（ロー（Roe）ら、１９９９年１１月２日発行）、及び米国特許第６，０１３，０６３号（ロー（Roe）ら、２０００年１月１１日発行）に公開されている。
【００４８】
本発明の「発明を実施するための最良の形態」で引用したすべての文献は、関連部分において本明細書に参考として組み込まれるが、いずれの文献の引用も、それが本発明に対する先行技術であることを容認するものと解釈されるべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【００４９】
試験方法
エネルギー回収値
エネルギー回収値を測定するのに必要なヒステリシス試験において、ＭＴＳアライアンスＲＴ／１引っ張り試験システムを使用してよい。このエネルギー回収値は、２００％延伸に対して１００Ｎロードセルを有するエラストマー層の試料の荷重及び徐荷におけるエネルギーの消費及び回収のパーセントを表す。特に、この測定に使用されるヒステリシスシステムを、伸縮部材試料に変位のレジメン（つまり引張）を付加しながら、力データが得られるように設定する。システムは、１００Ｎロードセル（ＭＴＳから供給）、及び図５に示す設計（ネジ作用クランプによって、対向するゴム製面と線接触する）の特注グリップのセットを装着する。好適な代替のグリップは、ＭＴＳ部品番号０５６−１６３−８２９（線接触のグリップ面）及び１００−０３６−５７６（空気圧で作動するグリップ）を含む。グリップは、ヒステリシス試験中に目に見える滑り又は損傷無しに試料を保持せねばならず、それによって試料上に明確な接触線を提供する。工学ひずみを以下のように定義する。
ｅ＝（Ｌ−Ｌ０）／Ｌ０＝ｚ／Ｌ０
式中、
・ゲージ長、Ｌ０は、変形していない伸縮部材試料がグリップに実装される際にグリップが接触する線の間の距離である。本実施例におけるＬ０は、２５．４ｍｍである。
・グリップ位置Ｌは、ヒステリシス試験中にグリップが接触する線の間の距離である。
・変位ｚは、ｚ＝Ｌ−Ｌ０として定義される。
【００５０】
ヒステリシス試験には、以下に列挙されるパラメーターが使用されるべきである。
・延伸／非延伸サイクルの数：１
・周囲温度：２１〜２４℃
・延伸方向：ＴＤ
・ゲージ長さ：２５．４ｍｍ
・試料幅：１９ｍｍ
・クロスヘッド速度：４．２３ｍｍ／ｓ（１０インチ／分）
【００５１】
ヒステリシス試験の準備のため、伸縮部材試料を１９ｍｍ幅×約３０ｍｍ長に切断するのに、鋭利なエグザクト（Xacto）ナイフ及び金属直定規を使用する。この特定の試験の例において、３０ｍｍの寸法を積層体の横断方向（機械横方向としても知られている）に合わせた。グリップ位置Ｌを２５．４ｍｍに設定する。試料を正しく位置合わせし、目に見える緩み又は延伸が無い状態でグリップに実装した。以下の表は、これらの工程及びシステムによって実行された変位レジメンを示す。力をニュートンで記録し、続いてＮ／ｃｍに変換する（１．９ｃｍ試料幅）。
【表１】
2010279725.tif 000003
＊重要ではない
【００５２】
ジョグ前工程は、純粋に個人的な選択の問題である。これは必須の工程ではないが、試料の引っ張り変形が開始する前にクロスヘッドの速度に達するのを可能にする。
【００５３】
フィルム予備延伸及びヒステリシス
鋭利なエグザクト（Xacto）ナイフ及び金属直定規を、１９ｍｍ幅×約３０ｍｍ長の伸縮部材試料に切断するのに再び使用する。試料の長さ寸法をフィルムの横断方向（機械横方向としても知られている）に合わせる。定規で試料の長さ寸法を０．２ｍｍ単位で測定し、４位置実験室用秤（4 place lab balance）で秤量する。グリップ位置Ｌを２５．４ｍｍに設定する。試料を正しく位置合わせし、目に見える緩み又は延伸が無い状態でグリップに実装する。以下の表は、これらの工程及びシステムによって実行された変位レジメンを示す。
【表２】
2010279725.tif 000004
＊重要ではない
【００５４】
予備延伸サイクル完了後、試料をグリップから取り除き、再グリップし（グリップ位置Ｌは２５．４ｍｍであった）、やはり正しく位置合わせし、目に見える緩み又は延伸がない状態にする。必要であれば、再グリップ中にグリップボルトに対応するよう試料長さを３０ｍｍ長に切断する。以下の表は、これらの工程及びシステムによって実行された変位レジメンを示す。ヒステリシス試験は、予備延伸が完了して約１２０秒後に開始する。
【表３】
2010279725.tif 000005
【００５５】
力をニュートンで記録し、続いて以下の式により公称応力に変換する。
公称応力（ＭＰａ）＝１ｅ−６＊Ｆ＊Ｄｖ／Ｄｌ
式中、 
Ｆは力（単位ニュートン）であり
Ｄｖは、試料の容量密度（９５０ｋｇ／ｍ３と仮定）であり
Ｄｌは、単位長さ当たりの試料の質量であって、上記のフィルム予備延伸の説明で記載された質量及び長さの測定値から算出される。
【００５６】
次に、エネルギー回収値（ＥＲＶ）を、以下の式で計算する。
【数１】
2010279725.tif 000006
【００５７】
ここで、Ｆ及びｚはそれぞれ力及び変位であって、分子における積分は「徐荷」工程中に求められ、分母における積分は「荷重」工程に関して求められる。
【実施例】
【００５８】
実施例１
本発明による使い捨て物品を以下のように作製する。７５重量％のベクター（Vector）４２１１（デクスコポリマーズ（Dexco Polymers））、１５重量％のＰＳ３９００（ノバケム（Novachem））、及び１０重量％の白色鉱油（ペンレコ（Pennreco）のドラケオールスプリーム（Drakeol Supreme））を含む、エラストマー層を、アルボ（Arbo）振動性ロスインウェイトフィーダーを備えるベルストルフ（Berstorff）Ｚ２５×３２Ｄ２軸押出成形機上に押し出す。押出成形機の温度領域は、供給口付近の１４９℃（３００Ｆ°）〜エラストマーが押出成形機から出る場所の２０４℃（４００Ｆ°）の範囲の上方傾斜プロファイルに設定される。溶解物経路（アダプターブロック及びデービススタンダード（Davis Standard）の１５．２ｃｍ（６インチ）の垂直配向シーティングダイ）の全後続領域の温度は、２０４℃（４００Ｆ°）に設定される。熱安定性を向上させるために１５００ｐｐｍのイルガノックス（Irganox）１０１０がエラストマーに加えられ、エラストマー層は（冷却ロール上に供給される）両面剥離紙上に直接押し出され、貯蔵ロールに巻かれる。続けて、むき出しのエラストマー層を剥離紙から除去し、静電流動床粒子処理（コネチカット州ブランフォード（Branford）０６４０５、ピンオーク通り４（4 Pin Oak Drive）のエレクトロスタティックテクノロジー（Electrostatic Technology）社）を施す。５０ｋＶの電圧を全試料において使用した。フィルムに対する粒子の様々な添加速度をもたらすために、曝露時間及びフィルムと床との距離を変更した。曝露時間は、５００〜４０００ｍｓで変化させた。粒子床とフィルムとの間の距離は、５〜１０ｃｍで変化させた。使用された粒子は、ルゼナック社（Luzenac）によって製造されるバータル（Vertal）９２、エネルギーストラテジーアソシエイツ（Energy Strategy Associates）社によって製造されるＮａｎ−Ｏ−Ｓｉｌロット番号２８４−Ｔ３０−１５、雲母粒子（６０メッシュ）、及びポリエチレン粒子を含む。
【００５９】
次に、むき出しのエラストマー層を２つの付加的な不織布ウェブの間に接着積層し、得られた伸縮積層体を米国特許第４８３４７４１号に開示されるように漸増式に延伸した。接着剤を不織布に適用し、次にフィルムに接触させ、続いてニップロールを通過させることが可能である。接着剤は、最終製品において積層体が伸張する方向に対して縞の方向が垂直になるように、縞パターンに適用することができる。伸縮積層体を次に、伸縮サイドパネルを形成するのに好適な寸法に切断し、ホットメルト接着剤、圧力接着、又はそれぞれの組み合わせによっておむつ又はプルオントレーニングパンツのシャーシに接合する。ホットメルト接着剤を後側耳部、シャーシ、又は両方に適用する。次に、後側耳部をシャーシに適用する。後側耳部とシャーシとの連結をさらに強化するために、機械的結合も使用する。様々な機械的結合が当該技術分野において既知である。このような機械的結合の１つは圧力接着であり、結合される材料を圧縮するために接合部位において高圧を適用することを伴う。特に高分子材料では、圧力により、材料が共に流れ、相互溶融する。複数の接合部位が作られ、シャーシと後側耳部との間の接合全体に沿って配置される。
【００６０】
比較例１
実施例１のエラストマー層をバージニア州リッチモンド（Richmond）のトレデガーフィルムプロダクツ（Tredegar Film Products）から市販されている、トレデガーのＸ−３１７９４Ｘ−３１７９４エラストマーフィルムに代えて、実施例１の物品を上述のように構成する。
【００６１】
実施例２
実施例１のエラストマー層をドイツのノルデニアドイチュラントグローナウ（Nordenia Deutschland Gronau）から市販されているノルデニアのＴＫ２０９１３エラストマーフィルムに代えて、実施例１の物品を上述のように構成する。
【００６２】
比較例２Ａ
実施例１のエラストマー層をドイツのノルデニアドイチュラントグローナウ（Nordenia Deutschland Gronau）から市販されているノルデニアのＫＧ６３６１．０００エラストマーフィルムに代えて、実施例１の物品を上述のように構成する。
【００６３】
比較例２Ｂ 
実施例１のエラストマー層をドイツのノルデニアドイチュラントグローナウ（Nordenia Deutschland Gronau）から市販されているノルデニアの（Nordenia’ss）ＫＧ６３５６．ｘｘｘエラストマーフィルムに代えて、実施例１の物品を上述のように構成する。
【表４】
2010279725.tif 000007
【００６４】
本発明の「発明を実施するための最良の形態」で引用したすべての文献は、関連部分において本明細書に参考として組み込まれるが、いずれの文献の引用も、それが本発明に対する先行技術であることを容認するものと解釈されるべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【００６５】
本発明の特定の実施形態について説明し記載したが、この発明の要旨及び範囲を逸脱せずに様々なその他の変更及び修正が可能であることが当業者には明白であろう。したがって、本発明の範囲内にあるそのようなすべての変更及び修正を、添付の特許請求の範囲で扱うものとする。
【図面の簡単な説明】
【００６６】
【図１】接着積層によるエラストマー部材の製造方法。
【図２】図１に示される方法を用いて作製された複数の伸縮部材のストリップを含む伸縮積層体の断面。
【図３Ａ】本発明の伸縮部材を含む伸縮サイドパネル。
【図３Ｂ】本発明の伸縮部材を含む伸縮サイドパネル。
【図３Ｃ】本発明の伸縮部材を含む伸縮サイドパネル。
【図４】特に請求されるような伸縮部材を含む伸縮サイドパネルを有する本発明の使い捨て吸収性物品の平面図。
【図１】
2010279725.tif 000008
【図２】
2010279725.tif 000009
【図３Ａ】
2010279725.tif 000010
【図３Ｂ】
2010279725.tif 000011
【図３Ｃ】
2010279725.tif 000012
【図４】
2010279725.tif 000013
【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
前側腰部領域、後側腰部領域、及び前記前側腰部領域と前記後側腰部領域との間の股領域を有するシャーシを含む使い捨て吸収性物品であって、前記シャーシは２つの対向する長手方向縁部及び２つの垂直に配置された端縁部を有し、前記シャーシはさらに、
ａ．少なくとも前記股領域にまたがる液体透過性トップシート；
ｂ．少なくとも前記股領域にまたがるバックシート；
ｃ．前記トップシートとバックシートとの間に配置される吸収性コア；及び
ｄ．前記シャーシの前記前側腰部又は前記後側腰部領域のどちらかにおいて、前記対向する長手方向縁部の少なくとも１つに沿って配置される伸縮部材であって、孔なし且つむき出しのエラストマー層を含み、前記層は少なくとも０．７７のエネルギー回収値を示す伸縮部材、
を含み、
前記エラストマー層は、単一材料又は材料の混合物の層であり、当該材料は、スチレンイソプレンスチレンブロックコポリマー類、スチレンブタジエンスチレンブロックコポリマー類、スチレンエチレンブチレンスチレンブロックコポリマー類、ポリウレタン、エチレンコポリマー類、及びこれらの組み合わせから成る群から選択され、
前記伸縮部材は、伸縮サイドパネル、レッグカフ、腰紐、ランディング領域、及びこれらの組み合わせから成る群から選択される使い捨て物品構成部分に含まれる
ことを特徴とする使い捨て吸収性物品。
【請求項２】
前記伸縮部材は、１つ以上の付加的な不織布ウェブ上又はその間に等間隔に空けられて平行配置された実質的に同じ幅の複数のストリップの形態をとる、請求項１に記載の物品。
【請求項３】
前記伸縮部材は、伸縮サイドパネル内で単一のピースである、請求項１に記載の物品。
【請求項４】
前記孔なし且つむき出しのエラストマー層は、ブロッキング防止処置が施され、
当該ブロッキング防止処置は、エンボス加工によるフィルムの表面トポグラフィーの粗化、フィルムのバルクへの充填剤粒子の添加によるフィルムの表面トポグラフィーの粗化、あるいは、非感圧性接着剤またはワックスから選択される非粘着性物質のフィルムの片面又は両面への塗布である、請求項１に記載の物品。
【請求項５】
前記伸縮部材は、伸縮サイドパネルであり、前記シャーシは、前記伸縮サイドパネルの最外縁部に取り付けられた締結具を有する、請求項１に記載の物品。
【請求項６】
前記伸縮部材は、１つ以上の付加的な不織布ウェブとの積層前に粉末添加剤で処理される、請求項５に記載の物品。
【請求項７】
前記締結具は、テープ状ひも、フックとループの締結要素、タブ及びスロットのような係合締結具、バックル、ボタン、スナップ、及び／又は雌雄同体締結要素、及びこれらの組み合わせから成る群から選択される、請求項５に記載の物品。
【請求項８】
前記伸縮サイドパネルは、１つ以上の付加的な不織布ウェブ上又はその間に等間隔に空けられて平行配置された実質的に同じ幅の複数のストリップの形態をとる、請求項５に記載の物品。
【請求項９】
前記伸縮サイドパネルは、少なくとも２つの異なる幅の少なくとも２つのストリップを含む、請求項５に記載の物品。